(57)【要約】【課題】使用者の好みや使用状況等に応じて、取り出し具を載置する態様を複数種類から選択できる取り出し具付き容器を提供すること。【解決手段】内容物が収容される広口容器２と、前記広口容器２が上面に載置されるトレイ３と、前記内容物を保持する保持部５及び前記保持部５に連設された柄部６を有する取り出し具４と、を備え、前記トレイ３の上面には、前記広口容器２の直下に配置され、前記取り出し具４を倒伏姿勢で収容する第１凹部１１と、前記広口容器２の外側に配置され、前記取り出し具４を縦置き姿勢で保持する第２凹部と、前記広口容器２の外側に配置され、前記取り出し具４を横置き姿勢で保持する第３凹部１３と、が形成されたことを特徴とする。【選択図】図３
2018090284.tif 000002
【特許請求の範囲】
【請求項１】
内容物が収容される広口容器と、
前記広口容器が上面に載置されるトレイと、
前記内容物を保持する保持部及び前記保持部に連設された柄部を有する取り出し具と、を備え、
前記トレイの上面には、
前記広口容器の直下に配置され、前記取り出し具を倒伏姿勢で収容する第１凹部と、
前記広口容器の外側に配置され、前記取り出し具を縦置き姿勢で保持する第２凹部と、
前記広口容器の外側に配置され、前記取り出し具を横置き姿勢で保持する第３凹部と、が形成されたことを特徴とする取り出し具付き容器。
【請求項２】
請求項１に記載の取り出し具付き容器であって、
前記第３凹部は、前記取り出し具を前記保持部の保持面が横向きになるように保持することを特徴とする取り出し具付き容器。
【請求項３】
請求項１又は２に記載の取り出し具付き容器であって、
前記広口容器は、円筒状をなし、
前記トレイは、四角形板状をなし、
前記第２凹部及び前記第３凹部は、前記トレイの隅部に配置されることを特徴とする取り出し具付き容器。
【請求項４】
請求項１〜３のいずれか一項に記載の取り出し具付き容器であって、
前記第１凹部に収容した前記取り出し具のうち、
前記保持部が、前記広口容器の直下に配置され、
前記柄部の少なくとも一部が、前記広口容器の外側に配置されることを特徴とする取り出し具付き容器。
【請求項５】
請求項１〜４のいずれか一項に記載の取り出し具付き容器であって、
前記第１凹部のうち、前記取り出し具の前記柄部の少なくとも一部に対応する部分の幅が、前記柄部の幅よりも広いことを特徴とする取り出し具付き容器。
【請求項６】
請求項１〜５のいずれか一項に記載の取り出し具付き容器であって、
前記第３凹部に保持した前記取り出し具のうち、前記柄部の少なくとも一部及び前記保持部が、前記トレイ上から外部に突出して配置されることを特徴とする取り出し具付き容器。
【発明の詳細な説明】
【技術分野】
【０００１】
本発明は、取り出し具付き容器に関する。
【背景技術】
【０００２】
従来、例えば下記特許文献１に示されるような取り出し具付き容器が知られている。
取り出し具付き容器は、内容物が収容される広口容器と、内容物を保持する保持部及び保持部に連設された柄部を有する取り出し具と、を備えている。広口容器は、内容物が収容される有底筒状の容器本体と、容器本体の開口部に着脱自在に装着される蓋部材と、を備えている。容器本体には、径方向外側へ向けて支持突板が突設されており、支持突板の挿通孔には、取り出し具の柄部が挿入されて支持される。
【先行技術文献】
【特許文献】
【０００３】
【特許文献１】特開２０１３−１３３１３６号公報
【発明の概要】
【発明が解決しようとする課題】
【０００４】
しかしながら、従来の取り出し具付き容器は、取り出し具を載置する態様（置き方）が１種類のみであり、使用者が取り出し具を載置する態様を選択できなかった。
【０００５】
本発明は、このような事情に鑑みてなされたものであって、使用者の好みや使用状況等に応じて、取り出し具を載置する態様を複数種類から選択できる取り出し具付き容器を提供することを目的としている。
【課題を解決するための手段】
【０００６】
本発明の一態様に係る取り出し具付き容器は、内容物が収容される広口容器と、前記広口容器が上面に載置されるトレイと、前記内容物を保持する保持部及び前記保持部に連設された柄部を有する取り出し具と、を備え、前記トレイの上面には、前記広口容器の直下に配置され、前記取り出し具を倒伏姿勢で収容する第１凹部と、前記広口容器の外側に配置され、前記取り出し具を縦置き姿勢で保持する第２凹部と、前記広口容器の外側に配置され、前記取り出し具を横置き姿勢で保持する第３凹部と、が形成されたことを特徴とする。
【０００７】
本発明の取り出し具付き容器は、トレイの上面に第１凹部、第２凹部及び第３凹部が形成されているので、使用者が第１〜第３凹部の中から、好みに応じて取り出し具を保管する位置及び姿勢を選択できる。つまり、使用者が取り出し具を載置する態様（置き方）を複数種類から選択できる。
具体的に、取り出し具を第１凹部に収容（載置）した場合には、取り出し具のうち内容物を保持する保持部をその上方から広口容器で覆うことができるので、保持部に埃等が付着することを抑制でき、衛生的である。この場合、取り出し具付き容器を長期保管する際にも、保持部が汚れにくい。また、取り出し具がトレイと広口容器との間に挟まれるように保管されるため、取り出し具がトレイ上を移動しにくくされて、紛失等が防止される。
【０００８】
また、取り出し具を第２凹部又は第３凹部に保持（載置）した場合には、トレイ上から広口容器を移動させることなく取り出し具を直接手に取ることができ、使用性がよい。つまり、取り出し具で内容物を取り出す頻度が高い場合などには、取り出し具を第２凹部や第３凹部に保持させると、取り出し具が外部に露出されてトレイ上に保管されるため視認性がよく、使用勝手がよい。
【０００９】
そして、取り出し具を第２凹部に縦置き姿勢で保持した場合には、取り出し具がトレイ上から横向きに出っ張ることを抑えられ、取り出し具付き容器の横方向への嵩張りを抑えられる。また、取り出し具を第３凹部に横置き姿勢で保持した場合には、取り出し具が広口容器から上方に出っ張ることを抑えられ、取り出し具付き容器の縦方向への嵩張りを抑えられる。
なお、本発明でいう「縦置き姿勢」とは、取り出し具の柄部が鉛直方向（縦方向）に沿うように延びて配置された状態の取り出し具の保管姿勢であり、「横置き姿勢」とは、取り出し具の柄部が水平方向（横方向）に沿うように延びて配置された状態の取り出し具の保管姿勢である。
【００１０】
以上のように本発明によれば、使用者の好みや使用状況等に応じて、取り出し具を載置する態様を複数種類から任意に選択できる。
【００１１】
上記取り出し具付き容器において、前記第３凹部は、前記取り出し具を前記保持部の保持面が横向きになるように保持することが好ましい。
【００１２】
この場合、取り出し具を第３凹部に保持したときに、取り出し具の保持部の保持面が水平方向を向くように横向きに配置される。これにより、取り出し具の上方への突出量を大きく確保でき、横向き（側方）への突出量は小さく抑えることができて、使用者が取り出し具を摘まみやすく、手に取り易い。
【００１３】
上記取り出し具付き容器において、前記広口容器は、円筒状をなし、前記トレイは、四角形板状をなし、前記第２凹部及び前記第３凹部は、前記トレイの隅部に配置されることが好ましい。
【００１４】
この場合、第２凹部及び第３凹部が、四角形板状をなすトレイの隅部（角部）に配置されるので、第２凹部及び第３凹部の配置スペースを確保しつつ、トレイの外形寸法を小さく抑えることができる。
【００１５】
上記取り出し具付き容器において、前記第１凹部に収容した前記取り出し具のうち、前記保持部が、前記広口容器の直下に配置され、前記柄部の少なくとも一部が、前記広口容器の外側に配置されることが好ましい。
【００１６】
この場合、取り出し具を第１凹部に収容したときに、取り出し具の保持部が広口容器の直下に配置されるので、保持部への埃等の付着を防止でき、保持部が汚れにくい。また、取り出し具の柄部の少なくとも一部が、広口容器の外側に配置されて外部に露出されるので、取り出し具が第１凹部に収容されていることを、使用者が目視により容易に確認できる。
【００１７】
上記取り出し具付き容器において、前記第１凹部のうち、前記取り出し具の前記柄部の少なくとも一部に対応する部分の幅が、前記柄部の幅よりも広いことが好ましい。
【００１８】
この場合、第１凹部に収容された取り出し具を第１凹部から取り出す時に、使用者が柄部を掴みやすく、操作性がよい。
【００１９】
上記取り出し具付き容器において、前記第３凹部に保持した前記取り出し具のうち、前記柄部の少なくとも一部及び前記保持部が、前記トレイ上から外部に突出して配置されることが好ましい。
【００２０】
この場合、取り出し具を第３凹部に横置き姿勢で保持したときに、取り出し具の柄部の少なくとも一部がトレイ上から外部に突出して配置されるので、使用者が柄部を掴みやすく、操作性がよい。また、取り出し具の保持部がトレイ上から外部に突出して配置されるので、内容物が付着した保持部がトレイに触れることを抑制できる。
【発明の効果】
【００２１】
本発明の取り出し具付き容器によれば、使用者の好みや使用状況等に応じて、取り出し具を載置する態様を複数種類から選択できる。
【図面の簡単な説明】
【００２２】
【図１】本発明の一実施形態に係る取り出し具付き容器の側面図（半縦断面図）である。
【図２】取り出し具を第１凹部に収容したときの、取り出し具付き容器の上面図である。
【図３】図２のＡ−Ａ断面図である。
【図４】取り出し具を第１凹部に収容したときの、トレイの上面図である。
【図５】取り出し具を第２凹部に保持したときの、図２のＢ−Ｂ断面図である。
【図６】取り出し具を第３凹部に保持したときの、取り出し具付き容器の上面図である。
【図７】図６のＣ−Ｃ断面図である。
【発明を実施するための形態】
【００２３】
以下、本発明の一実施形態に係る取り出し具付き容器１について、図面を参照して説明する。
図１〜図７に示されるように、本実施形態の取り出し具付き容器１は、例えばクリーム状や半固形状等の内容物が収容される広口容器２と、広口容器２が上面に載置されるトレイ３と、内容物を保持する保持部５及び保持部５に連設された柄部６を有する取り出し具４と、を備えている。
【００２４】
広口容器２は、内容物が収容されトレイ３上に載置される有底筒状の容器本体７と、容器本体７の開口部に着脱自在に装着される有頂筒状の蓋部材８と、を備えている。容器本体７及び蓋部材８は、それぞれの中心軸線が共通軸上に位置した状態で配設されている。本実施形態では、この共通軸を容器軸Ｏといい、容器軸Ｏ方向（上下方向）に沿ってトレイ３及び容器本体７から蓋部材８へ向かう方向を上方といい、蓋部材８から容器本体７及びトレイ３へ向かう方向を下方という。また、容器軸Ｏ方向から見た平面視で容器軸Ｏに直交する方向を径方向といい、容器軸Ｏ回りに周回する方向を周方向という。
【００２５】
本実施形態の例では、広口容器２が円筒状をなしている。また、容器本体７は有底円筒状をなしており、蓋部材８は有頂円筒状をなしている。図示の例では、容器本体７の外径と、蓋部材８の外径とが、互いに略同一とされている。
また、容器本体７の底壁の下面のうち、外周縁部よりも径方向内側に位置する部分は、外周縁部よりも上方に窪んで形成されている。また、図１等に示される広口容器２の縦断面視（容器軸Ｏに沿う断面視）において、容器本体７の底壁の下面のうち外周縁部は、径方向外側及び下方へ向けて膨出する凸曲線状をなしている。
【００２６】
容器本体７の周壁の外周面における上端部には、雄ねじ部が形成されている。また、蓋部材８の周壁の内周面には、雌ねじ部が形成されている。これらの雄ねじ部及び雌ねじ部が互いに螺着することにより、容器本体７に対して蓋部材８が着脱自在に装着されている。蓋部材８の頂壁の下面には、シート状のシール部材９が配設されており、シール部材９は、容器本体７の上端開口縁に対してその上方から当接している。
【００２７】
図３〜図７に示されるように、取り出し具４は、スプーン形状又はへら形状をなしたスパチュラである。取り出し具４は、内容物を掬って保持する皿状又は板状の保持部５と、保持部５に連設されて延在する長板状又は棒状の柄部６と、を備える。
【００２８】
図４に示される例では、保持部５において内容物が保持される保持面５ａが、略長円形状をなしている。保持面５ａは、多角形状、円形状、楕円形状又は卵形状等に形成されていてもよい。図示の例では、保持部５の厚さ方向（保持面５ａに垂直な方向）及び柄部６の延在方向に直交する取り出し具４の幅方向に沿う保持面５ａの長さ（幅）が、前記延在方向に沿って柄部６から保持部５側へ向かうに従い徐々に広くされており、保持面５ａのうち柄部６とは反対側に位置する前端部（先端部）は、略半円形状をなしている。
なお、以下の説明においては、保持部５の厚さ方向を取り出し具４の厚さ方向といい、柄部６の延在方向を取り出し具４の延在方向という場合がある。
【００２９】
図４において保持部５の幅は、柄部６の幅よりも大きくされている。図示の例では、柄部６の幅が、取り出し具４の延在方向に沿って保持部５から離間するに従い徐々に小さくされている。なお、柄部６の幅は、取り出し具４の延在方向に沿って一定とされていてもよい。
本実施形態の例では、柄部６の延在方向に垂直な断面の形状が、取り出し具４の幅方向の長さに対して厚さ方向の長さが小さくされた略長方形状をなしている（図１及び図７を参照）。また、取り出し具４の厚さ方向を向く柄部６の表面及び裏面のうち、保持面５ａとは反対側を向く裏面が、凸曲面状をなしている。なお、柄部６の延在方向に垂直な断面の形状は、上述した略長方形状以外の多角形状や楕円形状、円形状、長円形状等であってもよい。
【００３０】
図３において、保持部５の前端部の厚さは、前端側（取り出し具４の延在方向に沿う柄部６から保持部５側）へ向かうに従い徐々に薄くされている。また、柄部６の後端部の厚さは、後端側（取り出し具４の延在方向に沿う保持部５から柄部６側）へ向かうに従い徐々に薄くされている。
【００３１】
トレイ３は、その上面に広口容器２を載置可能な板状をなしている。図２及び図４に示されるように本実施形態の例では、トレイ３が四角形板状をなしており、トレイ３の４つの隅部（角部）１０が、広口容器２の外側に配置されている。つまり、図２に示される取り出し具付き容器１の上面視において、トレイ３の４つの隅部１０が、広口容器２の径方向外側に突出するように配置される。
【００３２】
具体的に、本実施形態の例ではトレイ３が正方形板状をなしており、トレイ３の四辺の各寸法は、互いに同一とされているとともに、広口容器２の外径より僅かに大きくされている。また、図２及び図４に示されるトレイ３の上面視において、トレイ３の四辺のうち隣り合う２つの辺同士を接続するコーナー部（隅部１０のコーナー部）は、径方向外側へ向けて膨出する凸曲線状をなしている。
【００３３】
そして、トレイ３の上面には、広口容器２の直下に配置され、取り出し具４を倒伏姿勢で収容する第１凹部１１と、広口容器２の外側に配置され、取り出し具４を縦置き姿勢で保持する第２凹部１２と、広口容器２の外側に配置され、取り出し具４を横置き姿勢で保持する第３凹部１３と、が形成されている。
なお、本明細書でいう「倒伏姿勢」とは、図３及び図４に示されるように、取り出し具４の厚さ方向（保持面５ａに垂直な方向）が鉛直方向（縦方向。容器軸Ｏ方向）に沿い、取り出し具４の延在方向及び幅方向が水平方向（横方向）に沿うように配置された状態の取り出し具４の保管姿勢である。この倒伏姿勢においては、取り出し具４の保持面５ａが上方又は下方を向いて配置され、図示の例では保持面５ａが上方を向いている。
また、「縦置き姿勢」とは、図５に示されるように、取り出し具４の延在方向が鉛直方向に沿うように配置された状態の取り出し具４の保管姿勢であり、「横置き姿勢」とは、図６及び図７に示されるように、取り出し具４の延在方向が水平方向に沿うように配置された状態の取り出し具４の保管姿勢である。なお、横置き姿勢には、上記倒伏姿勢が含まれる。
【００３４】
図１等に示されるように、トレイ３は、広口容器２が載置される本体板部１４と、本体板部１４の外周縁部から下方に向けて突設され、本体板部１４を支持する支持部１５と、を備える。
第１凹部１１〜第３凹部１３は、本体板部１４の上面から下方に窪んで形成されている。本体板部１４の上面には、広口容器２の容器本体７の底壁が着座される着座面１６が形成されている。
【００３５】
本実施形態の例では、広口容器２が円筒状をなしているのに対応して、図４に示されるように着座面１６が円形状をなしている。図１及び図３等において、着座面１６の外周縁部は、容器本体７の底壁の下面における外周縁部の形状（凸曲面状）に対応して、凹曲面状をなしている。このような形状とされた着座面１６上に容器本体７が載置されることで、着座面１６の外周縁部に対して容器本体７の外周縁部が摺接しつつ、着座面１６の中心に対して容器本体７の容器軸Ｏが一致するように案内される。つまり、着座面１６の中心に対して広口容器２の容器軸Ｏが同軸に配置されやすくなっている。
【００３６】
支持部１５は、本体板部１４の外周縁部から垂下設された四角形筒状をなしている。本実施形態の例では、支持部１５が、本体板部１４の外周縁部から下方へ向かうに従い徐々に径方向外側へ向けて傾斜して形成されている。なお、支持部１５は、本体板部１４の外周縁部から鉛直方向の下方へ向けて真っ直ぐに垂下設されていてもよい（傾斜して形成されなくてもよい）し、四角形筒状以外の板状等に形成されていてもよい。
【００３７】
図４に示されるように、第１凹部１１は、本体板部１４の上面において、トレイ３の対角線上に位置する一対の隅部１０Ａ、１０Ｂを通るように直線状に延びている。第１凹部１１が前記対角線に沿って延びる長さは、取り出し具４の延在方向の全長よりも大きくされている。また、第１凹部１１の容器軸Ｏ方向の深さは、取り出し具４の厚さよりも大きくされている。このため第１凹部１１内に、取り出し具４を収容可能である。
図３に示されるように本実施形態の例では、前記対角線に沿う第１凹部１１の全長にわたって、該第１凹部１１の深さが一定とされている。また第１凹部１１の延在方向の両端部は、支持部１５に開口している。
【００３８】
図４において、第１凹部１１は、取り出し具４の保持部５を収容可能な保持部収容部１７と、柄部６を収容可能な柄部収容部１８と、これらの保持部収容部１７及び柄部収容部１８よりも幅が大きく形成された拡幅部１９と、を備えている。本実施形態の例では、柄部収容部１８、保持部収容部１７及び拡幅部１９の各幅が、この順に大きくされている。
【００３９】
第１凹部１１は、容器軸Ｏ上に位置する１つの拡幅部１９と、拡幅部１９の径方向外側に配置される一対の保持部収容部１７と、保持部収容部１７の径方向外側に配置される一対の柄部収容部１８と、を備えている。第１凹部１１のうち、拡幅部１９及び一対の保持部収容部１７は、本体板部１４の着座面１６内に配置されている。また、一対の柄部収容部１８は、着座面１６内から隅部１０Ａ、１０Ｂにわたって延びている。このため、第１凹部１１に収容した取り出し具４のうち、保持部収容部１７内に収容される保持部５は、トレイ３上に載置した広口容器２の直下に配置され、柄部収容部１８内に収容される柄部６の少なくとも一部は、広口容器２の径方向外側に配置される（図２及び図３を参照）。
【００４０】
本実施形態の例では、図４に示されるトレイ３の上面視において、第１凹部１１が、容器軸Ｏを中心として１８０°回転対称形状に形成されている。従って、図４においては、第１凹部１１に収容した取り出し具４のうち、保持部５が、隅部１０Ａに隣接する保持部収容部１７内に配置され、柄部６の後端部が、隅部１０Ｂ上を延びる柄部収容部１８内に配置されているが、これに代えて、保持部５を隅部１０Ｂに隣接する保持部収容部１７内に配置し、柄部６の後端部を隅部１０Ａ上を延びる柄部収容部１８内に配置することとしてもよい。
【００４１】
また図示の例では、拡幅部１９が略円形穴状をなしている。第１凹部１１において拡幅部１９は、第１凹部１１に収容された取り出し具４の柄部６のうち保持部５に隣接する部分（取り出し具４の延在方向の略中央部）に対応して配置されている。拡幅部１９は、柄部６の幅よりも大きな内径を有しており、拡幅部１９の内周面と、第１凹部１１内に収容された取り出し具４の柄部６との間には、使用者が指先を挿入可能な程度の隙間が設けられている。
このように第１凹部１１のうち、取り出し具４の柄部６の少なくとも一部に対応する部分（本実施形態の例では拡幅部１９）の幅が、柄部６の幅よりも広くされている。
【００４２】
本実施形態の例では、第２凹部１２が、本体板部１４の上面のうちトレイ３の対角線上に位置する一対の隅部１０Ｃ、１０Ｄにそれぞれ（つまり一対）形成されている。第２凹部１２は、トレイ３の４つの隅部１０Ａ〜１０Ｄのうち、第１凹部１１が形成された一対の隅部１０Ａ、１０Ｂとは異なる一対の隅部１０Ｃ、１０Ｄに配置されている。
【００４３】
図４及び図５に示されるように、第２凹部１２は、四角形穴状をなしている。第２凹部１２には、取り出し具４の柄部６を縦置き姿勢で挿入可能である（本実施形態の例では嵌合可能である）。第２凹部１２の容器軸Ｏに垂直な断面形状は、取り出し具４の柄部６の延在方向に垂直な断面形状に対応している。
【００４４】
図５に示されるように、第２凹部１２内に取り出し具４の柄部６の後端部を挿入した縦置き姿勢において、取り出し具４の保持部５は、広口容器２の頂面よりも上方に位置している。図示の例では、第２凹部１２に保持した取り出し具４における保持部５の保持面５ａが、径方向内側（広口容器２側）を向いて配置されているが、径方向外側（広口容器２とは反対側）を向いて配置されてもよい。
【００４５】
図４において、本実施形態の例では第３凹部１３が、本体板部１４の上面のうちトレイ３の対角線上に位置する一対の隅部１０Ａ、１０Ｂにそれぞれ（つまり一対）形成されている。第３凹部１３は、トレイ３の４つの隅部１０Ａ〜１０Ｄのうち、第２凹部１２が形成された一対の隅部１０Ｃ、１０Ｄとは異なる一対の隅部１０Ａ、１０Ｂに配置されている。第３凹部１３は、第１凹部１１が形成された一対の隅部１０Ａ、１０Ｂにそれぞれ配置されているとともに、各隅部１０Ａ、１０Ｂ上において第１凹部１１に交差して（図示の例では直交して）直線状に延びている。
【００４６】
具体的に、第３凹部１３は、一対の隅部１０Ｃ、１０Ｄを通るトレイ３の対角線に対して略平行に延びる溝状をなしている。第３凹部１３の延在方向の両端部は、支持部１５に開口している。図６及び図７に示されるように、第３凹部１３の溝幅は、取り出し具４の柄部６の厚さに対応しており、第３凹部１３内に柄部６を横置き姿勢で挿入可能である（本実施形態の例では嵌合可能である）。第３凹部１３は、取り出し具４を保持部５の保持面５ａが横向きになるように（水平方向を向くように）保持する。
【００４７】
図６において、第３凹部１３に保持した取り出し具４のうち、柄部６の少なくとも一部（図示の例では柄部６のうち保持部５に隣接する部分以外の部位。柄部６の後端部を含む部位）及び保持部５が、トレイ３上から外部に突出して配置される。図示の例では、第３凹部１３に保持した取り出し具４における保持部５の保持面５ａが、径方向内側（広口容器２側）を向いて配置されているが、径方向外側（広口容器２とは反対側）を向いて配置されてもよい。
【００４８】
以上説明した本実施形態の取り出し具付き容器１は、トレイ３の上面に第１凹部１１、第２凹部１２及び第３凹部１３が形成されているので、使用者が第１凹部１１〜第３凹部１３の中から、好みに応じて取り出し具４を保管する位置及び姿勢を選択できる。つまり、使用者が取り出し具４を載置する態様（置き方）を複数種類から選択できる。
具体的に、取り出し具４を第１凹部１１に収容（載置）した場合には、取り出し具４のうち内容物を保持する保持部５をその上方から広口容器２で覆うことができるので、保持部５に埃等が付着することを抑制でき、衛生的である。この場合、取り出し具付き容器１を長期保管する際にも、保持部５が汚れにくい。また、取り出し具４がトレイ３と広口容器２との間に挟まれるように保管されるため、取り出し具４がトレイ３上を移動しにくくされて、紛失等が防止される。
【００４９】
また、取り出し具４を第２凹部１２又は第３凹部１３に保持（載置）した場合には、トレイ３上から広口容器２を移動させることなく取り出し具４を直接手に取ることができ、使用性がよい。つまり、取り出し具４を第２凹部１２又は第３凹部１３に載置した場合には、取り出し具４を使用する際に他の操作を行うことなく取り出し具４を手に取ることができる。また、取り出し具４で内容物を取り出す頻度が高い場合などには、取り出し具４を第２凹部１２や第３凹部１３に保持させると、取り出し具４が外部に露出されてトレイ３上に保管されるため視認性がよく、使用勝手がよい。
【００５０】
そして、取り出し具４を第２凹部１２に縦置き姿勢で保持した場合には、取り出し具４がトレイ３上から横向きに出っ張ることを抑えられ、取り出し具付き容器１の横方向（水平方向）への嵩張りを抑えられる。また、取り出し具４を第３凹部１３に横置き姿勢で保持した場合には、取り出し具４が広口容器２から上方に出っ張ることを抑えられ、取り出し具付き容器１の縦方向（鉛直方向。容器軸Ｏ方向）への嵩張りを抑えられる。
【００５１】
以上のように本実施形態によれば、使用者の好みや使用状況等に応じて、取り出し具４を載置する態様を複数種類から任意に選択できる。
【００５２】
また本実施形態では、第３凹部１３が、取り出し具４を保持部５の保持面５ａが横向きになるように保持するので、下記の作用効果を奏する。
すなわちこの場合、取り出し具４を第３凹部１３に保持したときに、取り出し具４の保持部５の保持面５ａが水平方向を向くように横向きに配置される。これにより図７に示されるように、取り出し具４の上方への突出量を大きく確保でき、横向き（側方）への突出量は小さく抑えることができて、使用者が取り出し具４を摘まみやすく、手に取り易い。また、取り出し具４の保持面５ａが横向きであるため（立っているため）、保持面５ａへ向けて落下する埃等の付着を抑制できる。
【００５３】
また本実施形態では、広口容器２が円筒状をなし、トレイ３が四角形板状をなし、第２凹部１２及び第３凹部１３がトレイ３の隅部（角部）１０に配置されているので、これらの第２凹部１２及び第３凹部１３の配置スペースを確保しつつ、トレイ３の外形寸法を小さく抑えることができる。
【００５４】
また本実施形態では、第１凹部１１に収容した取り出し具４のうち、保持部５が、広口容器２の直下に配置され、柄部６の少なくとも一部が、広口容器２の外側に配置されるので、下記の作用効果を奏する。
すなわちこの場合、取り出し具４を第１凹部１１に収容したときに、取り出し具４の保持部５が広口容器２の直下に配置されるので、保持部５への埃等の付着を防止でき、保持部５が汚れにくい。また、取り出し具４の柄部６の少なくとも一部が、広口容器２の外側に配置されて外部に露出されるので、取り出し具４が第１凹部１１に収容されていることを、使用者が目視により容易に確認できる。
【００５５】
また、第１凹部１１のうち、取り出し具４の柄部６の少なくとも一部に対応する部分（本実施形態の例では拡幅部１９）の幅が、柄部６の幅よりも広いので、第１凹部１１に収容された取り出し具４を第１凹部１１から取り出す時に、使用者が柄部６を掴みやすく、操作性がよい。
【００５６】
また本実施形態では、第３凹部１３に保持した取り出し具４のうち、柄部６の少なくとも一部及び保持部５が、トレイ３上から外部に突出して配置されるので、下記の作用効果を奏する。
すなわちこの場合、取り出し具４を第３凹部１３に横置き姿勢で保持したときに、取り出し具４の柄部６の少なくとも一部がトレイ３上から外部に突出して配置されるので、使用者が柄部６を掴みやすく、操作性がよい。また、取り出し具４の保持部５がトレイ３上から外部に突出して配置されるので、内容物が付着した保持部５がトレイ３に触れることを抑制できる。
【００５７】
また本実施形態では、第１凹部１１が、容器軸Ｏを中心として１８０°回転対称形状に形成されているので、第１凹部１１に取り出し具４を収容するときに、取り出し具４を収容する向きが１種類のみに限定されず、使い勝手がよい。
また、トレイ３上に広口容器２が載置されているため、この広口容器２のみを持ち運ぶことが可能であり、容器持ち運び時の嵩張りを抑えられる。
【００５８】
なお、本発明は前述の実施形態に限定されるものではなく、下記に説明するように、本発明の趣旨を逸脱しない範囲において種々の変更を加えることが可能である。
【００５９】
前述の実施形態では、第３凹部１３が取り出し具４を、該取り出し具４の保持部５の保持面５ａが横向きになるように（つまり保持面５ａが水平方向を向くように）保持することとしたが、これに限定されるものではない。つまり第３凹部１３は、取り出し具４を横置き姿勢で保持すればよいことから、保持面５ａが縦向きになるように（鉛直方向を向くように）取り出し具４を保持してもよい。この場合、取り出し具４は倒伏姿勢である。或いは、第３凹部１３は、保持面５ａが横向きと縦向きの間の斜め方向（傾斜方向）を向くように取り出し具４を保持してもよい。
【００６０】
また、前述の実施形態では、広口容器２が円筒状をなし、トレイ３が四角形板状をなしており、第２凹部１２及び第３凹部１３がトレイ３の隅部（角部）１０に配置されているとしたが、これに限定されるものではない。すなわち、例えばトレイ３の外形寸法が広口容器２の外径に対して十分に大きく形成されている場合には、トレイ３の外周縁部のうち四辺の内側に位置する部分に、第２凹部１２や第３凹部１３が配置されていてもよい。またこの場合、第３凹部１３に保持した取り出し具４の保持部５及び柄部６が、トレイ３上から外部に突出して配置されなくてもよい。
また、トレイ３が四角形板状以外の多角形板状や円板状等に形成されていてもよく、広口容器２が円筒状以外の多角形筒状等に形成されていてもよい。
【００６１】
また、前述の実施形態では、第１凹部１１に収容した取り出し具４のうち、保持部５が広口容器２の直下に配置され、柄部６の少なくとも一部が広口容器２の外側（径方向外側）に配置されるとしたが、これに限定されるものではない。すなわち、例えば、第１凹部１１に収容した取り出し具４の全体が、広口容器２の直下に配置されてもよい。或いは、第１凹部１１に収容した取り出し具４の保持部５の一部が、広口容器２の外側に配置されてもよい。
【００６２】
また、前述の実施形態では、第２凹部１２が四角形穴状をなしているとしたが、これに限定されるものではない。例えば、取り出し具４の柄部６の延在方向に垂直な断面形状が円形状をなしている場合には、これに対応して、第２凹部１２は円形穴状をなしていてもよい。
また、第２凹部１２及び第３凹部１３が、有底の穴又は溝で形成される代わりに、トレイ３を容器軸Ｏ方向に貫通する貫通孔又はスリットで形成されていてもよい。
【００６３】
また、トレイ３に形成される第１凹部１１の数は、２つ以上であってもよい。また、トレイ３に形成される第２凹部１２の数は、１つや３つ以上であってもよく、第３凹部１３の数は、１つや３つ以上であってもよい。
【００６４】
また、前述の実施形態では、取り出し具４が１つのみ設けられているが、これに限定されるものではない。トレイ３上には複数の凹部１１〜１３が設けられているため、例えば、使用用途の異なる（つまり保持部５や柄部６の形状が互いに異なる）複数種類の取り出し具４を、トレイ３上に一緒に保持させることも可能である。
【００６５】
その他、本発明の趣旨を逸脱しない範囲で、上記した実施形態における構成要素を周知の構成要素に置き換えることは適宜可能であり、また、上記した実施形態及び変形例を適宜組み合わせてもよい。
【符号の説明】
【００６６】
１  取り出し具付き容器
２  広口容器
３  トレイ
４  取り出し具
５  保持部
５ａ  保持面
６  柄部
１０  隅部（角部）
１１  第１凹部
１２  第２凹部
１３  第３凹部
１９  拡幅部（第１凹部のうち、取り出し具の柄部の少なくとも一部に対応する部分）
【図１】
2018090284.tif 000003
【図２】
2018090284.tif 000004
【図３】
2018090284.tif 000005
【図４】
2018090284.tif 000006
【図５】
2018090284.tif 000007
【図６】
2018090284.tif 000008
【図７】
2018090284.tif 000009